(57)【要約】      （修正有）【課題】フレキシブルプリント基板を用いたプリント基板構造に関し、応力印加による剥離に対するピール（剥離）強度の高いフレキシブルプリント基板を提供する。【解決手段】フレキシブルな樹脂フィルム上に配線パターン１７をプリントしたフレキシブルプリント基板１５であって、フレキシブルな配線部を構成するフレキシブル部と、接続対象である主基板１１に接着され、フレキシブルな配線部の配線を主基板１１上の配線に電気的に接続するための接続部と、接続部の外縁の少なくとも一部に形成された折れ曲がり形状を有する周辺とを有する。【選択図】図１
2007053401.tif 000002
【特許請求の範囲】
【請求項１】
フレキシブルな樹脂フィルム上に配線パターンをプリントしたフレキシブルプリント基板であって、フレキシブルな配線部を構成するフレキシブル部と、接続対象である主基板に接着され、フレキシブルな配線部の配線を主基板上の配線に電気的に接続するための接続部と、前記接続部の外縁の少なくとも一部に形成された折れ曲がり形状を有する周辺とを有するフレキシブルプリント基板。
【請求項２】
さらに、前記接続部の全面上に積層された異方性導電膜を有する請求項１記載のフレキシブルプリント基板。
【請求項３】
前記折れ曲がり形状は直線的距離より１０％以上長い周辺長を形成する請求項１記載のフレキシブルプリント基板。
【請求項４】
前記折れ曲がり形状は直線的距離より３０％以上長い周辺長を形成する請求項１記載のフレキシブルプリント基板。
【請求項５】
前記折れ曲がり形状は波形を有する請求項１記載のフレキシブルプリント基板。
【請求項６】
前記折れ曲がり形状は外側から切り込んだスリット形状を有する請求項１記載のフレキシブルプリント基板。
【請求項７】
前記折れ曲がり形状は直線状斜辺を有するジグザグ形状を有する請求項１記載のフレキシブルプリント基板。
【請求項８】
主基板の接続部にフレキシブルプリント基板の接続部を接着した接続プリント基板構造であって、両接続部の外縁の少なくとも一方が折れ曲がり形状の周辺を有する接続プリント基板構造。
【請求項９】
前記折れ曲がり形状は直線的距離より１０％以上長い周辺長を有する請求項８記載の接続プリント基板構造。
【請求項１０】
前記両接続部は異方性導電膜を介して接着されている請求項８または９記載の接続プリント基板構造。
【請求項１１】
液晶表示パネルと、液晶表示パネルを構成する基板に接続されるフレキシブルプリント基板を備え、フレキシブルプリント基板が請求項１〜７のいずれか一項に記載のものである液晶表示装置。
【発明の詳細な説明】
【技術分野】
【０００１】
本発明はプリント基板に関し、特にフレキシブルプリント基板を用いたプリント基板構造に関する。
【背景技術】
【０００２】
フレキシブルプリント基板は、フレキシブルなポリイミド等の樹脂フィルム上に銅箔等の回路パターンを形成したもので折り曲げ可能という特徴を有する。なお、本明細書において、フレキシブルプリント基板とはテープキャリアパッケージを含む概念として用いる。
【０００３】
プリンタ等の可動部を有する電気製品において、フレキシブルプリント基板は可動部と固定部とを電気的に接続する配線部材として用いられる。液晶表示装置（ＬＣＤ）やカメラ等の可動部を有さない電子機器においても、狭く小さなスペースに配線を収容するため等にフレキシブルプリント基板が用いされる。いずれの用法においても、フレキシブルプリント基板は曲げられることを前提としている。
【０００４】
フレキシブルプリント基板は、接続される対象（主基板と呼ぶ）に半田付や異方性導電膜（ＡＣＦ）等によって電気的、機械的に接続される。主基板は、ＬＣＤのガラス基板やエポキシ、ガラスエポキシ等の硬質基板であり、ほとんど変形しない。フレキシブルプリント基板が曲げられたり、振動や温度変化が与えられると、応力が発生し、この応力はフレキシブルプリント基板と主基板との接続部に集中的に印加される。接続部の接続強度が不十分だと、応力によってフレキシブルプリント基板が主基板から剥離してしまうことがある。接続強度を増すため、主基板にフレキシブルプリント基板を接続した後、さらに両者の表面をＵＶ硬化剤や他の硬化剤で被覆することも行われる。このような対策を取っても接続強度が不足することもある。また、このような対策は工数の増加となり、生産コストを引き上げる。
【発明の開示】
【発明が解決しようとする課題】
【０００５】
以上、説明したように、主基板に接続されたフレキシブルプリント基板は応力印加によって剥離することもある。
【０００６】
本発明の目的は、応力印加による剥離に対するピール（剥離）強度の高いフレキシブルプリント基板および該フレキシブルプリント基板を備えた液晶表示装置を提供することである。
【０００７】
本発明の他の目的は、応力印加に対してフレキシブルプリント基板が剥離しにくい接続プリント基板構造を提供することである。
【課題を解決するための手段】
【０００８】
本発明の一観点によれば、フレキシブルな樹脂フィルム上に配線パターンをプリントしたフレキシブルプリント基板であって、フレキシブルな配線部を構成するフレキシブル部と、接続対象である主基板に接着され、フレキシブルな配線部の配線を主基板上の配線に電気的に接続するための接続部と、前記接続部の外縁の少なくとも一部に形成された折れ曲がり形状を有する周辺とを有するフレキシブルプリント基板が提供される。
【０００９】
本発明の他の観点によれば、主基板の接続部にフレキシブルプリント基板の接続部を接着した接続プリント基板構造であって、両接続部の外縁の少なくとも一方が折れ曲がり形状の周辺を有する接続プリント基板構造が提供される。
【００１０】
フレキシブルプリント基板を接着層によって主基板に接着した場合、接着面積よりも接着部の周辺長が剥離強度に影響することが判明した。接着部の周辺長を長くすることにより、剥離に対するピール強度が増加する。
【発明の効果】
【００１１】
以上説明したように、本発明によれば、主基板に接続するフレキシブルプリント基板の剥離に対するピール強度を増大することができる。
【発明を実施するための最良の形態】
【００１２】
本発明の実施例の説明に先立ち、従来技術によるフレキシブルプリント基板を説明する。
【００１３】
図７に示すように、主基板１１１の接続部に、フレキシブルプリント基板１１５の接続部が接続されている。接続部において、領域１２０は、半田、異方性導電膜（ＡＣＦ）等によってフレキシブルプリント基板１１５が主基板１１１に接続されている領域であるとする。
【００１４】
矢印Ｆに示すように、フレキシブルプリント基板１１５の下側左辺を右側上方に持ち上げるような応力が印加されたとする。このような応力は、接続部のコーナーである点Ｘに集中して印加される。応力集中の結果、接続領域１２０が点Ｘ近傍で剥離し始めるとフレキシブルプリント基板１１５は主基板１１１から容易に剥離してしまう。
【００１５】
以下、本発明の実施例を図面を参照して説明する。図１（Ａ）〜（Ｃ）は、本発明の実施例による主基板とフレキシブルプリント基板との接続形態を示す。図１（Ａ）は、接続部の断面図、図１（Ｂ）および（Ｃ）は、それぞれフレキシブルプリント基板の裏面を示す平面図および主基板の表面を示す平面図である。
【００１６】
図１（Ａ）に示すように、主基板１１は支持基板１２上に配線パターン１３が形成されたものである。また、フレキシブルプリント基板１５は、フレキシブルな樹脂フィルム１６上に配線パターン１７が形成されたものである。主基板上の配線パターン１３とフレキシブルプリント基板上の配線パターン１７とは、半田層１９によって機械的および電気的に接続されている。
【００１７】
樹脂フィルム１６は、厚さ１０μｍ〜３０μｍ、たとえば１２．５μｍ、２５μｍのポリイミドフィルムである。配線パターン１７は、最小パターン幅０．１５ｍｍ〜０．２ｍｍ、パターン間隔０．１５ｍｍ〜０．２ｍｍ、厚さ１０μｍ〜４０μｍ、たとえば３５μｍの銅箔で形成される。
【００１８】
主基板１１の支持基板１２は、ＬＣＤの場合はガラス基板であり、他の場合は主にエポキシやガラスエポキシの硬質基板である。
【００１９】
図１（Ｂ）に示すように、フレキシブルプリント基板１５の裏面上には、配線パターン１７ａ〜１７ｚが形成されている。フレキシブルプリント基板１５の樹脂フィルム１６は、図中右側に示す一定幅のフレキシブル部１６ａと、フレキシブル部１６ａに比べ幅広に形成された接続部１６ｂとを含む。
【００２０】
フレキシブル部１６ａの上下両辺ｓ１、ｓ２と、接続部１６ｂの右辺ｓ３、ｓ４とはほぼ直交している。言い換えると、樹脂フィルム１６は、辺ｓ１、ｓ２で画定される幅狭部から、ほぼ直角に張り出す辺ｓ３、ｓ４を介して、辺ｓ５、ｓ６で画定される幅広部へと延在する。幅狭部がフレキシブルな配線部を構成し、幅広部が接続部を構成する。
【００２１】
樹脂フィルム１６上で、配線パターン１７ａ〜１７ｚは、一定幅でフレキシブル部１６ａから接続部１６ｂの端部まで延在している。なお、配線パターン１７ａ〜１７ｚの内最も外側に配置された２つの配線パターン１７ａ、１７ｚが他の配線パターン１７ｂ、１７ｃ、．．．よりも幅広に設計されている場合を示しているが、同一幅の配線としてもよい。電源配線等の幅広配線パターンと、信号配線等の幅狭配線パターンとを用いる場合は、図に示すように幅広の配線パターンを両側に配置することが好ましい。
【００２２】
樹脂フィルム１６は、接続部１６ｂにおいて両側に幅が拡大されている。この拡大領域において、樹脂フィルムの右辺ｓ３、ｓ４に沿うように、配線パターンと同一導電層で形成され、配線ターン１７ａ〜１７ｚよりも幅広のアンカパターン１４ｆが形成されている。なお、この幅広のアンカパターン１４ｆを接続部１６ｂの両側に設ける場合を示したが、フレキシブルプリント基板の使用形態に応じ、どちらか一方のみに設けることもできる。
【００２３】
図１（Ｃ）に示すように、主基板１１上には、フレキシブルプリント基板上の配線パターン１７と対応した配線パターン１３が形成されている。図には主基板の接続部の一部のみを示すが、フレキシブルプリント基板の接続部が重ねられる領域においては、フレキシブルプリント基板の導電パターンと鏡面対称の導電パターンが形成されている。
【００２４】
主基板１１の右辺に沿った領域において、配線パターン１３ａから上方に同一導電層で形成されたアンカパターン１４ｓが形成されている。このアンカパターン１４ｓは、接続部内で終端しており、配線として用いられているものではない。すなわち、フレキシブルプリント基板１５上のアンカパターン１４ｆも配線として用いられるものではない。もっとも、アンカパターンを配線パターンの一部として用いてもよい。
【００２５】
フレキシブルプリント基板上のアンカパターン１４ｆは、主基板１１上のアンカパターン１４ｓにハンダ付けされる。
【００２６】
ここで、従来技術において説明したように、フレキシブルプリント基板１５が曲げられ、フレキシブル部と接続部の交点である点Ｘに応力が印加されたされた場合を考える。応力は、配線パターン１７ａと連続するアンカパターン１４ｆによって受けられる。応力印加点Ｘを挟む上下に延在した領域で応力が受け止められるため、フレキシブルプリント基板１５は容易には剥離しなくなる。
【００２７】
なお、配線としてはもちいないアンカパターンにより剥離強度を増大する場合を説明したが、配線として用いる配線パターンにより同様の構成を実現してもよい。ハンダ付け等によりフレキシブルプリント基板と主基板とが接続される接続領域において、フレキシブル部との接続境界を左方に延長した領域Ｈの内側から外側にかけて接着パターンが辺ｓ３ないしｓ４に沿って延在することが重要である。
【００２８】
図２は、図１に示した第１の実施例の変形例を示す。図２（Ａ）においては、主基板１１とフレキシブルプリント基板１５との接続部においてアンカパターン１４がフレキシブル部１５ａとの接続境界の延長領域Ｈの内側から両外側に向けて延在している。このアンカパターン１４は、配線としては用いられず、配線パターンとは分離されたダミーパターンとして形成されている。他の点は図１に示す実施例と同様である。
【００２９】
図２（Ｂ）は、フレキシブルプリント基板の構成を示す。フレキシブルプリント基板１５の接続部１５ｂにおいては、その全面に異方性導電膜２５が積層されている。異方性導電膜２５は、主基板に圧着されることにより、全面が接着面となる。従って、フレキシブル部１５ａの幅に対し、拡大した幅を有する接続部１５ｂは、フレキシブル部１５ａとの接続境界の接続部内の延長領域Ｈの内側から外側に向かって延在する接着面を提供する。
【００３０】
図２（Ｃ）は、フレキシブルプリント基板の樹脂フィルムの形状の例を示す。樹脂フィルム１６の外縁は、フレキシブル部を構成する直線状辺ｓ１から接続部の主基板１１の縁に沿った辺ｓ３に至る前に、徐々に方向を変えた拡張辺ｓ１１を有する。拡張辺ｓ１１によって図１に示したフレキシブル部１６ａと接続部１６ｂを結ぶ連結部１８が形成されている。辺ｓ１と辺ｓ３とが直交して交わる構成と比べ拡張辺ｓ１１が存在することにより、フレキシブルプリント基板１５が切断し難くなる。なお、アンカパターン１４は前述の例と同様接続部１５ｂとフレキシブル部１５ａとの接続境界の接続部への延長領域Ｈ内側から外側に向かって延在している。
【００３１】
なお、アンカパターン１４を辺ｓ１、ｓ２の延長によって画定される領域の内側から外側に配置するとさらにピール強度増大のために好ましい。
【００３２】
図３は、本発明の他の実施例によるフレキシブルプリント基板の構成例を示す。
【００３３】
図３（Ａ）においては、フレキシブルプリント基板１５は一定の幅を有する短冊形状であり、接続部もフレキシブル部と同一の幅を有する。最も外側の配線パターン１７は、接続部内において外側に曲げられ、緩やかに方向を変化させながら接続部端部に向かって延在している。主基板１１上の配線パターン１３も、配線パターン１７に対応した形状を有する。接続部において、配線パターン１７の外側境界が、接続部のフレキシブル部側角部において、内側から外側に向かって凸の曲率を有する滑らかな曲線形状に形成されていることが特徴である。
【００３４】
このような曲率を有する形状とすることにより、斜め方向から応力Ｆが印加された時、配線パターン１７は応力Ｆを線で受けることとなり、点で受ける場合と比べピール強度が増加する。なお、曲率を有する接着面を配線パターンで形成する場合を説明したが、図上方のアンカパターン１４で示すようにダミーパターンで同様の曲率を有する接着面を形成してもよい。
【００３５】
図３（Ｂ）は、異方性導電膜で曲率を有する接着面形状を形成する場合を示す。フレキシブルプリント基板１５の接続部には、角部を丸められた異方性導電膜２０が積層されている。この異方性導電膜２０が、フレキシブルプリント基板１５と主基板１１との間の接着面を提供する。接着面が滑らかに方向を変化させる曲線上外縁を有することにより、どの方向から応力が印加されても応力が点状部分に集中することが防止される。なお、異方性導電膜２０が主基板１１側角部でも丸められた形状を有する場合を図示したが、フレキシブルプリント基板１５の主基板側端部では異方性導電膜がフレキシブルプリント基板の全幅に拡がり角部を形成してもよい。この部分には応力が集中することがないためである。
【００３６】
異方性導電膜は、配線パターン領域のみならず、絶縁領域をも接着面として提供することができる。さらに、全面を圧着するだけで電気的、機械的接続を形成することができるため、製造工程も簡略化できる。
【００３７】
本発明者等は、異方性導電膜によってフレキシブルプリント基板を主基板に接着した場合、フレキシブルプリント基板の接着強度は接着面の面積よりも接着面周辺の周辺長に依存することを見い出した。
【００３８】
図４は、本発明の他の実施例によるフレキシブルプリント基板の構成を示す。これらの構成例において、フレキシブルプリント基板の接続部裏面には全面に異方性導電膜が積層されているものとする。
【００３９】
図４（Ａ）においては、フレキシブルプリント基板１５の接続部１５ｂにおいては、周辺が直線状の斜辺を有するジグザグ形状に成形されている。ジグザグ形状とすることにより、直線的辺を有する矩形形状と比べ、周辺長が増大する。２点を結ぶ最短距離は直線であるが、２点をジグザグ状の辺で結ぶことにより、周辺長を任意に拡大することができる。
【００４０】
図４（Ｂ）においては、フレキシブルプリント基板１５の接続部１５ｂにおいて、周辺３１は波形形状に成形されている。たとえば、半円状の辺の連続で形成された波形の周辺は、直線状の辺のπ倍の周辺長を提供する。
【００４１】
図４（Ｃ）においては、フレキシブルプリント基板１５の接続部１５ｂにおいて、周辺３２は矩形状領域に外側からスリットが形成された形状に成形されている。スリットの数と深さとにより広い範囲で周辺長の増大を実現することができる。
【００４２】
図４（Ａ）〜（Ｃ）に示すフレキシブルプリント基板は、接続部の周辺が凹凸を有する形状に成形されている。凹凸が無い場合に較べ少なくなくとも１０％以上、好ましくは２０％以上、さらに好ましくは３０％以上周辺長を増大させることが好ましい。周辺長の増大により、ピール強度を増加させることができる。なお、フレキシブルプリント基板１５の接続部１５ｂにおいて、全周辺を凹凸を有するパターンに形成する場合を説明したが、凹凸パターンは周辺の一部に存在してもよい。この場合、凹凸パターンを形成した領域において、上述の周辺長の増大を行えばよい。
【００４３】
図５は、本発明者等の行った考察を説明するための図である。図５（Ａ）は、フレキシブルプリント基板１５の接続部１５ｂにおいて周辺の一部に図４（Ｂ）に示したような波形パターン３１を形成した場合を示す。波形パターン３１は、接続部の一部の辺にのみ形成されている。たとえば、２ｍｍφのドリル孔を、２ｍｍ間隔で形成することにより、ピッチ２ｍｍ、凹凸の深さが約１ｍｍの波形を形成する。なお、波形凹凸パターン３１に接する領域には、配線パターンと共にダミー配線パターン３５を形成してもよい。
【００４４】
異方性導電膜としてソニーケミカル株式会社（東京都）から入手できる高分子コネクタ膜を用いた。この高分子コネクタ膜は、エポキシ系バインダ中に樹脂粒子にＮｉ／Ａｕメッキを施した導電粒子が分散した構成である。
【００４５】
接続部の周辺に上述の深さ１ｍｍ、ピッチ２ｍｍの波形凹凸を形成した場合と形成しなかった場合とを実験的に比較した。波形を形成しなかった場合ピール強度は９８ｇであったのに対し、上述の波形を形成した場合ピール強度は１８９ｇに増大した。
【００４６】
面積を削って波形凹凸を形成した分、接続部面積は減少している。接続面積の減少に関わらずピール強度が増大した実験結果は、接続領域の周辺長が接続領域の面積よりもピール強度に影響を与えることを示している。以下、異方性導電膜の接着形態を考察する。
【００４７】
図５（Ｂ）、（Ｃ）は、異方性導電膜を用いた場合の断面形状を示す。図５（Ｂ）は、圧着前の断面形状を示す。主基板１１の上に、フレキシブルプリント基板１５が異方性導電膜３７を介して配置されている。
【００４８】
図５（Ｃ）は、フレキシブルプリント基板１５を主基板１１に向かって圧着した状態を示す。圧力により、フレキシブルプリント基板１５がΔｔ降下するものとする。フレキシブルプリント基板１５が押し下げられることにより、異方性導電膜３７は外側にはみ出し、フレキシブルプリント基板１５の両側にはみ出し部３７ａを形成する。はみ出し部３７ａの幅をｙとする。
【００４９】
図５（Ｄ）、（Ｅ）は、周辺をジグザク形状にした時の接続部の断面形状の例を示す。図５（Ｄ）は、フレキシブルプリント基板１５の隣接する領域間を押し出された異方性導電膜のはみ出し部３７ｂが接続した場合を示す。図５（Ｅ）は、フレキシブルプリント基板１５によって押し出された異方性導電膜のはみ出し部３７ｃが、互いに分離された状態を保っている場合を示す。
【００５０】
本発明者等の実験によれば、フレキシブルプリント基板の接続部周辺をジグザク形状に形成しても、図５（Ｄ）に示すように、異方性導電膜のはみ出し部が互いに接続してしまうと、接続強度の増大は少なく、図５（Ｅ）に示すように、はみ出し部３７ｃが互いに分離された状態を保つことにより、接続強度の顕著な増大を得られることが判った。
【００５１】
はみ出し部が互いに接触しないようにするためには、フレキシブルプリント基板の周辺にジグザク形状を形成する際、そのパターン間の距離を一定値以上に保つことが好ましい。
【００５２】
図５（Ｃ）において、はみ出し部３７ａが２等辺三角形を形成するとすれば、はみ出し部３７ａの断面積はｙ2 ／２である。
【００５３】
はみ出し幅ｙの値を見積もるため、以下のような簡単な構成を考察する。図５（Ｆ）に示すように、幅ａ、長さｂの矩形状パターンが、間隔ｘで周期的に配置されていると考える。この時、各パターンがΔｔ押し下げられることにより押し出される異方性導電膜の体積は、ａｂΔｔとなる。はみ出しが全周に渡って生じるとすれば、はみ出しの生じる周辺長は２（ａ＋ｂ）である。
【００５４】
この全周辺長に渡り、ｙ2 ／２の断面積のはみ出し部が形成されるとすれば、はみ出し部分の体積は（ａ＋ｂ）ｙ2 である。
【００５５】
パターン下から押し出された量と、パターン外側にはみ出している量とは等しいはずであるから、（ａ＋ｂ）ｙ2 ＝ａｂΔｔが成立し、ｙ＝〔ａｂΔｔ／（ａ＋ｂ）〕1/2 となる。従って、ｘ＞２ｙ＝２〔ａｂΔｔ／（ａ＋ｂ）〕1/2 であれば、図５（Ｅ）に示すようにはみ出した異方性導電膜を分離した状態のまま保つことができる。
【００５６】
なお、この結論はあくまでも簡略化したモデルに基づいてものであり、厳密なものではない。実際にジグザク形状を有する周辺を持つフレキシブルプリント基板を用いる場合のジグザクパターン間の距離に対する下限の目途と考えるべきであろう。
【００５７】
以上、主基板にフレキシブルプリント基板を接着する場合、その接着強度を高めるためにフレキシブルプリント基板の接着部周辺の形状を調整する場合を説明した。フレキシブルプリント基板の形状を調整する場合と同等の効果が主基板の形状を調整することによっても得られることは自明であろう。
【００５８】
図６（Ａ）、（Ｂ）は、主基板の周辺に加工を施した場合の構成例を示す。図６（Ａ）において、主基板１１の接続部において、主基板の外縁４１は、波形のジグザグ輪郭を形成するように加工されている。なお、この波形形状４１は、接着面端部において実現されていればよく、主基板１１の全厚さに渡る必要はない。
【００５９】
図６（Ｂ）においては、主基板１１の接続部の外縁が、スリット４２の形状に切り込み加工されている。このスリット４２も主基板１１の全厚さに形成される必要はなく、接続部表面に形成されていればよい。
【００６０】
以上実施例に沿って本発明を説明したが、本発明はこれらに制限されるものではない。たとえば、種々の変更、改良、組み合わせ等が可能なことは当業者に自明であろう。
【００６１】
なお、フレキシブルな樹脂フィルム上に配線パターンをプリントしたフレキシブルプリント基板であって、フレキシブルな配線部を構成する幅狭のフレキシブル部と、接続対象である主基板に接着され、フレキシブルな配線部の配線を主基板上の配線に電気的に接続するための幅広の接続部と、前記接続部に形成され、主基板の辺に沿うように配置され、前記フレキシブル部を接続した領域内から外側に延在し信号配線パターンよりも幅が広い導電性接着面とを有するフレキシブルプリント基板とすることができる。
【００６２】
フレキシブルプリント基板が最も剥離しやすいのは、接続部に斜め方向からの応力が印加された時である。
【００６３】
接続部をフレキシブル部よりも幅広の構成とし、フレキシブル部との接続領域内側から外側に延在する導電性接着面を備えることにより、斜め方向からの応力が分散され、剥離し難くなる。
【００６４】
また、前記導電性接着面が半田付部であるフレキシブルプリント基板とすることができる。
【００６５】
また、フレキシブルな樹脂フィルム上に配線パターンをプリントしたフレキシブルプリント基板であって、フレキシブルな配線部を構成する幅狭のフレキシブル部と、接続対象である主基板に接着され、フレキシブルな配線部の配線を主基板上の配線に電気的に接続するための幅広の接続部と、前記接続部の全面上に積層された異方性導電膜とを有するフレキシブルプリント基板とすることができる。
【００６６】
また、前記フレキシブル部が前記接続部との境界近傍で接続部に向かって単調に増大する幅を有するフレキシブルプリント基板とすることができる。
【００６７】
また、フレキシブルな樹脂フィルム上に配線パターンをプリントしたフレキシブルプリント基板であって、フレキシブルな配線部を構成するフレキシブル部と、接続対象である主基板に接着され、フレキシブルな配線部の配線を主基板上の配線に電気的に接続するための接続部と、前記接続部に形成され、少なくとも接続部のフレキシブル部側角部において接続部内部から外側に向かって凸の曲率を有する外側境界を有する接着面とを有するフレキシブルプリント基板とすることができる。
【００６８】
接続部のフレキシブル部側角部において内部から外側に向かって凸の曲線状外側境界を有する接着面を備えることにより、斜め方向から印加される応力が点ではなく面で受けられる。応力が分散し、フレキシブルプリント基板が剥離し難くなる。
【００６９】
また、前記接着面が半田付部であるフレキシブルプリント基板とすることができる。
【００７０】
また、前記接着面が、前記接続部の中央部上に積層された異方性導電膜であるフレキシブルプリント基板とすることができる。
【００７１】
また、前記曲率を有する外側境界より外側には他の接着面は存在しないフレキシブルプリント基板とすることができる。
【図面の簡単な説明】
【００７２】
【図１】本発明の実施例によるフレキシブルプリント基板と主基板の接続構造を説明するための断面図および平面図である。
【図２】図１の実施例の変形例を示す概略平面図である。
【図３】本発明の他の実施例によるフレキシブルプリント基板と主基板の接続構造を説明するための平面図である。
【図４】本発明の他の実施例によるフレキシブルプリント基板と主基板の接続構造を説明するための平面図である。
【図５】本発明者の行った実験および考察を説明するための平面図および断面図である。
【図６】本発明の他の実施例による主基板の形状を示す平面図である。
【図７】従来技術を説明するための概略平面図である。
【符号の説明】
【００７３】
１１        主基板
１２        支持基板
１３、１７  配線パターン
１４        アンカパターン
１５        フレキシブルプリント基板
１６        樹脂フィルム
１８        連結部
３０、３１、３２  フレキシブルプリント基板の周辺
３７        異方性導電膜
４１、４２  主基板の周辺
【図１】
2007053401.tif 000003
【図２】
2007053401.tif 000004
【図３】
2007053401.tif 000005
【図４】
2007053401.tif 000006
【図５】
2007053401.tif 000007
【図６】
2007053401.tif 000008
【図７】
2007053401.tif 000009